【手続補正書】
【提出日】平成19年11月28日(2007.11.28)
【手続補正１】
【補正対象書類名】明細書
【補正対象項目名】特許請求の範囲
【補正方法】変更
【補正の内容】
【特許請求の範囲】
【請求項１】  枚葉紙処理機械のための、処理方向で枚葉紙を搬送する装置であって、
−処理方向で見て前側のくわえしろで枚葉紙を把持するための、運転によって第１の方向に回転する第１のくわえづめと、
−前記第１のくわえづめによって把持された枚葉紙を支持するための支持面がその円周に構成されている、前記第１のくわえづめを支持する胴と、
−前記第１の方向と反対の第２の方向に回転し、各々の枚葉紙の前側のくわえしろを前記第１のくわえづめから引き取る第２のくわえづめと、
−回転軸を中心として回転する少なくとも１組の枚葉紙支持部と、
−吸引くわえづめとを備えており、
前記枚葉紙支持部は前記回転軸に対して同心的な転動面を有しており、前記回転軸に沿った前記転動面の長さは枚葉紙のその都度の印刷されていない側縁の幅よりも短く、前記枚葉紙支持部は枚葉紙をそれぞれの側縁の範囲内で前記支持面に押圧し、
前記枚葉紙支持部と前記吸引くわえづめとは、前記回転軸を中心として前記第２の方向に一緒に回転し、
前記吸引くわえづめは、前記枚葉紙支持部によって前記胴の前記支持面に当てつけられた枚葉紙の後側のくわえしろを前記胴から引き取るように適合されており、
前記枚葉紙支持部は、枚葉紙を前記支持面に当てつけている間、枚葉紙の前側のくわえしろから後側のくわえしろまで、枚葉紙と連続してローリング接触する、枚葉紙を搬送する装置。
【請求項２】  前記第２のくわえづめと前記枚葉紙支持部と前記吸引くわえづめとを含む枚葉紙案内ドラムを備えている、請求項１記載の枚葉紙を搬送する装置。
【請求項３】  −前側のくわえしろを前記第２のくわえづめから引き取る第３のくわえづめと、後側のくわえしろを前記吸引くわえづめから引き取る前記第３のくわえづめに後続する吸引部とをもち、前記枚葉紙案内ドラムと直列に接続されて運転によって前記第１の方向に回転する渡しドラム、ならびに
−運転によって回転する先行くわえづめと後続くわえづめとを含むエンドレスコンベヤを備えており、前記先行くわえづめは前側のくわえしろを前記第３のくわづめから引き取り、前記後続くわえづめは後側のくわえしろを前記吸引部から引き取る、請求項２記載の枚葉紙を搬送する装置。
【請求項４】  前記吸引部は、調整可能な位相位置を有する、請求項３記載の枚葉紙を搬送する装置。
【請求項５】  前記第１のくわえづめから各々の枚葉紙の前側のくわえしろを引き取るために設けられた前記第２のくわえづめと、前記吸引くわえづめから各々の枚葉紙の後側のくわえしろを引き取る後端くわえづめとを含む、運転によって循環するエンドレスコンベヤを備えている、請求項１記載の枚葉紙を搬送する装置。
【請求項６】  前記後端くわえづめが、前記支持面と前記転動面との間の出口側のくさび型ニップで後側のくわえしろを把持する、請求項５記載の枚葉紙を搬送する装置。
【請求項７】  前記枚葉紙支持部は、調整可能な相互間隔を有する、請求項１記載の枚葉紙を搬送する装置。
【請求項８】  前記転動面は、調整可能な円周方向の長さを有する、請求項１記載の枚葉紙を搬送する装置。
【請求項９】  前記吸引くわえづめは、調整可能な位相位置を有する、請求項１記載の枚葉紙を搬送する装置。
【請求項１０】  処理方向で枚葉紙を搬送する装置を備えている、枚葉紙処理機械であって、
前記枚葉紙を搬送する装置は、
−処理方向で見て前側のくわえしろで枚葉紙を把持するための、運転によって第１の方向に回転する第１のくわえづめと、
−前記第１のくわえづめによって把持された枚葉紙を支持するための支持面がその円周に構成されている、前記第１のくわえづめを支持する胴と、
−前記第１の方向と反対の第２の方向に回転し、各々の枚葉紙の前側のくわえしろを前記第１のくわえづめから引き取る第２のくわえづめと、
−回転軸を中心として回転する少なくとも１組の枚葉紙支持部と、
−吸引くわえづめとを備えており、
前記枚葉紙支持部は前記回転軸に対して同心的な転動面を有しており、前記回転軸に沿った前記転動面の長さは枚葉紙のその都度の印刷されていない側縁の幅よりも短く、前記枚葉紙支持部は枚葉紙をそれぞれの側縁の範囲内で前記支持面に押圧し、
前記枚葉紙支持部と前記吸引くわえづめとは、前記回転軸を中心として前記第２の方向に一緒に回転し、
前記吸引くわえづめは、前記枚葉紙支持部によって前記胴の前記支持面に当てつけられた枚葉紙の後側のくわえしろを前記胴から引き取るように適合されており、
前記枚葉紙支持部は、枚葉紙を前記支持面に当てつけている間、枚葉紙の前側のくわえしろから後側のくわえしろまで、枚葉紙と連続してローリング接触する、枚葉紙処理機械。
【請求項１１】  処理方向で枚葉紙を搬送する装置を備えている、輪転印刷機であって、
前記枚葉紙を搬送する装置は、
−処理方向で見て前側のくわえしろで枚葉紙を把持するための、運転によって第１の方向に回転する第１のくわえづめと、
−前記第１のくわえづめによって把持された枚葉紙を支持するための支持面がその円周に構成されている、前記第１のくわえづめを支持する胴と、
−前記第１の方向と反対の第２の方向に回転し、各々の枚葉紙の前側のくわえしろを前記第１のくわえづめから引き取る第２のくわえづめと、
−回転軸を中心として回転する少なくとも１組の枚葉紙支持部と、
−吸引くわえづめとを備えており、
前記枚葉紙支持部は前記回転軸に対して同心的な転動面を有しており、前記回転軸に沿った前記転動面の長さは枚葉紙のその都度の印刷されていない側縁の幅よりも短く、前記枚葉紙支持部は枚葉紙をそれぞれの側縁の範囲内で前記支持面に押圧し、
前記枚葉紙支持部と前記吸引くわえづめとは、前記回転軸を中心として前記第２の方向に一緒に回転し、
前記吸引くわえづめは、前記枚葉紙支持部によって前記胴の前記支持面に当てつけられた枚葉紙の後側のくわえしろを前記胴から引き取るように適合されており、
前記枚葉紙支持部は、枚葉紙を前記支持面に当てつけている間、枚葉紙の前側のくわえしろから後側のくわえしろまで、枚葉紙と連続してローリング接触する、輪転印刷機。
【手続補正２】
【補正対象書類名】明細書
【補正対象項目名】００１７
【補正方法】変更
【補正の内容】
【００１７】
胴の直後に続くエンドレスコンベヤの有利な実施態様では、エンドレスコンベヤの後端くわえづめが、支持面と転動面の間の出口側のくさび型ニップで後側のくわえしろを把持する。このことは、エンドレスコンベヤの後端くわづめが胴の支持面と枚葉紙支持部の転動面との共通の法線の領域を衝突せずに通過することのできる方策を可能にする。そのために有利に意図されるいろいろな方策に共通する点は、回転する吸引くわえづめの回りを包囲可能な包絡面の範囲内で後端くわえづめが胴を通過することである。
【手続補正３】
【補正対象書類名】明細書
【補正対象項目名】００５１
【補正方法】変更
【補正の内容】
【００５１】
枚葉紙２．２を排紙するための図２に描かれた渡し装置は、さらに、印刷ユニット１．２’の圧胴１．７の支持面１．１３から後側のくわえしろ２．２’’’を持ち上げる、枚葉紙支持部１．１６’と一緒に回転してこの後に配置された吸引くわえづめ１．１８を有している。この吸引くわえづめ１．１８は処理方向に対して横向きに延びる列を形成するとともに、後端くわえづめ３．３１が転動面１．１７の回転軌道の中に潜り込んだときにこの後端くわえづめと噛み合うように配置されている。後端くわえづめ３．３１は支持面１．１３と転動面１．１７の共通の法線の領域を、転動面１．１７が通る軌道の半径方向内側で通過して、支持面１．１３と転動面１．１７の間の出口側のくさび型ニップで、吸引くわえづめ１．１８から後側のくわえしろ２．２’’’を引き取る。この点については、エンドレスコンベヤ３．５の構成とエンドレスコンベヤ３．５’の構成とで、すでに説明した相違点がある。